(57)【要約】  空間（１４、１５）の空気調和のための空気調和システム（２０）は、冷媒回路（７０、７１、７２、７３）における冷媒を圧縮するためのコンプレッサー（３２）と、前記冷媒および蓄熱体間の熱を交換するための第１の熱交換器（３４）と、前記冷媒を膨張させるための複数のスロットル（４２）と、各１つの関連付けられた伝熱流体回路（９０、９１，９２）において、前記冷媒および伝熱流体間で熱を交換するための複数の第２の熱交換器（４４）と、その各々が関連付けられた空間（１５）に配置された、前記伝熱流体および前記関連付けられた空間（１５）の室内空気間で熱を交換するための複数の第３の熱交換器（５４）と、を備える。第２の熱交換器（４４）に、スロットル（４２）および複数の第３の熱交換器（５４）を有する伝熱流体回路（９０，９１，９２）が関連付けられている。【選択図】  図２
2015518954.tif 000002
【特許請求の範囲】
【請求項１】
空間（１４、１５）の空気調和のための空気調和システム（２０）であって、
冷媒回路（７０、７１、７２、７３）における冷媒を圧縮するためのコンプレッサー（３２）と、
前記冷媒および蓄熱体間の熱を交換するための第１の熱交換器（３４）と、
前記冷媒を膨張させるための複数のスロットル（４２）と、
各１つの関連付けられた伝熱流体回路（９０、９１，９２）において、前記冷媒および伝熱流体間で熱を交換するための複数の第２の熱交換器（４４）と、
その各々が関連付けられた空間（１５）に配置された、前記伝熱流体および前記関連付けられた空間（１５）の室内空気間で熱を交換するための複数の第３の熱交換器（５４）と、を備え、
スロットル（４２）および複数の第３の熱交換器（５４）を有する伝熱流体回路（９０，９１，９２）は、第２の熱交換器（４４）と関連付けられている、空気調和システム（２０）。
【請求項２】
前記コンプレッサー（３２）および前記第１の熱交換器（３４）は、建物（１０）あるいは車両の外部の、あるいは建物（１０）あるいは車両の外側縁（１２）における室外機（３０）に配置され、かつ各１つのスロットル（４２）および関連付けられた第２の熱交換器（４４）は室内機（４０）に配置される、請求項１に記載の空気調和システム（２０）。
【請求項３】
前記熱容量を増加させるために、前記伝熱流体のための貯留槽（４６）を更に備える、請求項１または２に記載の空気調和システム（２０）。
【請求項４】
前記伝熱流体回路（９１、９２）において温度センサー（４９）を更に備える、請求項１ないし３のいずれかに記載の空気調和システム（２０）。
【請求項５】
前記伝熱流体以外の媒体に対して、前記冷媒の冷暖房能力を放散させるための熱交換器を備えていない、請求項１ないし４のいずれかに記載の空気調和システム（２０）。
【請求項６】
１つのスロットル（４２）は制御可能である、請求項１ないし５のいずれかに記載の空気調和システム（２０）。
【請求項７】
室内機（４０）が、３本の流体ライン（７１、７２、７３）によって前記室外機（３０）と接続されており、かつ冷房モードにおいて前記伝熱流体から熱を回収し、かつ暖房モードにおいて前記伝熱流体に熱を供給するために形成されている、請求項６に記載の空気調和システム（２０）。
【請求項８】
前記空気調和システム（２０）は、可変冷媒体積流量のために形成される、請求項１ないし７のいずれかに記載の空気調和システム（２０）。
【請求項９】
前記コンプレッサー（３２）を駆動するために、可変速の３相交流モータを備える、請求項１ないし８のいずれかに記載の空気調和システム（２０）。
【請求項１０】
前記空気調和システム（２０）は更に、
冷暖房能力のための総需要量を検出し、かつ所定の最小能力および所定の最大能力の間で、前記コンプレッサー（３２）を制御するための制御手段（３８、４８、５８、７８、９８）を備え、前記制御手段（３８、４８、５８、７８、９８）は、冷暖房能力のための前記総需要量が所定の閾値を下回る時、前記コンプレッサー（３２）のスイッチを一時的に切るために形成されている、請求項１ないし９のいずれかに記載の空気調和システム（２０）。
【発明の詳細な説明】
【技術分野】
【０００１】
本発明は、建物、あるいは船舶、あるいは車両の空間の空気調和のための空気調和システムに関する。
【背景技術】
【０００２】
ホテルの部屋あるいはオフィス空間の空気調和は、昔は豪華なホテルや一流のハイクオリティーオフィスビルに限られていた。空気調和はまた、より低いカテゴリーのホテルやオフィスビルにおいて、益々期待されるようになっている。こういった理由や他の理由で、ますます小さな空間の空気調和が必要になってきている。同時に、建物の断熱性はますます高まっており、また外部のブラインドや他の手段によって、太陽放射によって生成される熱は低減される。
【０００３】
その１つの結果として、一般的に個々の部屋に必要とされる冷却能力は、もはや２０００Ｗではなく、５００Ｗから６００Ｗである。一方、一般的に室内機は２０００Ｗの能力を有している。
【０００４】
もう１つの問題は、従来の空気調和システムの冷却能力は、所定の限度内だけで可変であることにある。可変の冷媒フローのために形成される室外機によって、一般的にその公称出力の約１２０％および約３０％の間の冷却能力が提供可能である。コンプレッサーの更に低速での更に低い冷却能力は、一般的に可能ではなく、これは冷媒がコンプレッサーを円滑にする特性を失うからである。
【０００５】
室内機によって増した冷却能力が、室外機によって提供される冷却能力の最小値を下回って減少する時、あまりに高い圧力および／またはあまりに高い温度が、冷媒回路内で取得されうる。それによって空気調和システムは、損傷あるいは破壊されうる。これを回避するためには、室内機によって増した冷却能力が、最小値以を下回って減少する時、室外機は、クロック制御して操作され、あるいは数分間隔でオン・オフ切替を行う。これにより、室温の付随する一時的変動および利便性の付随する喪失を生じさせうる。
【０００６】
より小さな室外機を選択することは、いくつかの理由のため概して解決策にならない。室外機の公称出力を低減することによって、最小出力および公称出力間の比が一般的に増加し、そのため最小出力が減少せず、あるいは減少してもわずかである。
【０００７】
更に、可変冷媒フローを有する空気調和システムにおいては、室内機の数に関連して、かつ個々の室内機に関連して生じる技術的制限が存在する。
【０００８】
日本国特開昭５５−１０２８４２Ａ公報には、建物の外部に室外機１１を有する空気調和システムが記載されている。室外機１１は、コンプレッサー１１１と、熱交換器１１２と、スロットル１１４とを備える。室内機１２は、管路１２０を介して、室外機１１と接続されている。当該室外機において、冷却能力は水回路に伝えられ、かつ余分な冷却能力は、送風機１２４によって放散される。
【先行技術文献】
【特許文献】
【０００９】
【特許文献１】特開昭５５−１０２８４２号公報
【発明の概要】
【発明が解決しようとする課題】
【００１０】
本発明の目的は、特に低い冷却能力を生じさせるのに適した、空間の空気調和のための改良された空気調和システムを作成することである。
【課題を解決するための手段】
【００１１】
この目的は、独立請求項の要旨によって解決される。発展形は、従属請求項に示される。
【００１２】
本発明の実施の形態は、空気調和システムの数機ある室内機にそれぞれ自身のスロットルを備え、かつ１つの熱交換器によって、それぞれが冷却能力を冷媒から室内空気へ直接的ではなく、伝熱流体、例えば、水あるいはブラインへ伝えるというアイデアに基づく。更に数機の熱交換器によって、冷却能力は伝熱流体から１つ以上の空間の室内空気へ伝えられる。
【００１３】
空間の空気調和のための空気調和システムは、冷媒回路における冷媒を圧縮するためのコンプレッサーと、前記冷媒および蓄熱体間の熱を交換するための第１の熱交換器と、前記冷媒を膨張させるための複数のスロットルと、各１つの関連付けられた伝熱流体回路において、前記冷媒および伝熱流体間で熱を交換するための複数の第２の熱交換器と、その各々が関連付けられた空間に配置された、前記伝熱流体および前記関連付けられた空間の室内空気間で熱を交換するための複数の第３の熱交換器と、を備え、スロットルおよび複数の第３の熱交換器を有する伝熱流体回路は、第２の熱交換器と関連付けられている。
【００１４】
空気調和システムは特に、１つ以上の建物部屋、あるいは船舶、あるいは他の車両の空間の空気調和、あるいは冷房および／あるいは暖房のために形成され、かつ提供される。
【００１５】
第１の熱交換器は特に、コンプレッサーと空間的に直接近接して、かつコンプレッサーと共に配置され、かつ第１の熱交換器は特に、建物の外部に、あるいは建物、あるいは船舶、あるいは他の車両の外側縁において配置される室外機内に配置される。第１の熱交換器は特に、冷媒および周囲空気、あるいは建物、あるいは船舶、あるいは他の車両を取り囲む大気の間の熱を交換するために、あるいは、冷媒および地下水、あるいは建物の地下水、あるいは船舶が浮かぶ水の間の熱を交換するために、形成されかつ提供される。
【００１６】
空気調和システムは、複数の第２の熱交換器を含むことができ、その各々に対して、スロットルと、複数の第３の熱交換器を有する別の伝熱流体回路が関連付けられている。各伝熱流体回路は１つ以上の第３の熱交換器を備えることができる。１つの空間に対して、同じ伝熱流体回路から、あるいは異なる伝熱流体回路から、１つ以上の熱交換器が各々関連付けられうる。
【００１７】
空気調和システムは更に、冷媒および室内空気間の熱の直接的交換のための、例えば、ミーティングルーム、あるいはホール、あるいは他の大きな空間の空気調和のための、熱交換器を含むことができる。
【００１８】
各スロットルは特に、関連付けられた第２の熱交換器までのその距離が、第１の熱交換器までのその距離よりも短い、あるいはかなり短くなるように配置される。距離の各々は、スロットルを第２の熱交換器と、あるいは第１の熱交換器と接続する流体ラインの長さを指している。特に、スロットルの各々は、関連付けられた第２の熱交換器に直接隣接して、かつ関連付けられた熱交換器のフローラインにおいて、あるいは関連付けられた第２の熱交換器の上流で冷媒の流れ方向に基づいて配置される。
【００１９】
冷媒回路および室内空気の間に伝熱流体回路を差し挟むことで、際立ってより幅広い限度内で、個々の空間において提供される冷房および／または暖房能力を必要な大きさにすることができる。特に、ほんの数百Ｗの少ない冷却能力を提供でき、これは近代的ホテルあるいはオフィスビルの小さな良好に断熱された部屋においては十分である。こういった低減された冷却能力は、時として不快な通風として知覚される、空調のなされた空間における空気流動の際立った低減をもたらしうる。
【００２０】
冷媒は大抵無臭かつ無色である。冷媒が空気調和システムから出る時、部屋に呼気を吐き出し、かつその部屋にいる人々を息苦しくさせうる。それが前記冷媒回路ではなく、個々のホテルの部屋あるいは個々のオフィス空間へと導かれる、通常の状態にある水、あるいはブライン、あるいは別の非毒性伝熱流体の液体を有する前記伝熱流体回路である時、このリスクは際立って低減されうる。これは、内部空間における最大冷媒濃度に関する規制ＥＮ３７８への準拠を平易にする。
【００２１】
伝熱流体回路の一部分だけが、ホテルの部屋あるいはオフィス空間に配置されるが、冷媒回路は、ホテルの部屋あるいはオフィス空間の完全に外部に配置されるという点において、ノイズレベルもまた際立って低下されうる。例えば、ホテルの部屋あるいはオフィス空間におけるバルブ切替のノイズは完全に回避されうる。本出願人は、ノイズレベルを、一般的な少なくとも３０ｄＢ（Ａ）から、際立ってより小さな値である約２１ｄＢ（Ａ）までの低減を期待している。
【００２２】
伝熱流体回路は、それ自身の熱容量および、特に伝熱流体と、管路と、伝熱流体回路のその他の部分との熱容量から生じているそれ自身の熱慣性を有している。伝熱流体回路のこの熱慣性は、ホテルの部屋あるいはオフィス空間における冷房および／または暖房能力の一時的変動を際立って低減し、このことは室外機をクロック制御して動作させることで得られる。
【００２３】
上述の特徴を有する空気調和システムにおいて、空調がなされた空間の数は、第２の熱交換器の数およびスロットルの数の複数でありうる。コンプレッサーおよび第１の熱交換器と共に冷媒回路を形成する、スロットルおよび第２の熱交換器の数の技術的限定の場合において、さらに多くの数の空間がこれによって、ここに記載の空気調和システムを用いて空調がなされうる。逆に言えば、大きな建物の場合、コンプレッサーおよび熱交換器（特に、その各々が室外機内に組み込まれている）の数は、際立って削減されうる。この両方は、空気調和システムの製造と、稼働と、メンテナンスとのコストを際立って低減しうる。
【００２４】
本書に記載のように、空気調和システムにおいて、特にコンプレッサーおよび第１の熱交換器は、建物あるいは車両の外部の、あるいは建物あるいは車両の外側縁にある室外機に配置され、かつ各１つのスロットルおよび関連付けられた熱交換器は、室内機に配置される。
【００２５】
室内機は特に、建物、あるいは船舶、あるいはその他の車両内部に、例えば、廊下、あるいは通路、あるいは階段に配置される。室内機は、管路を介して、個々の空間における第３の熱交換器と接続される。第３の熱交換器として特に、いわゆるチラーシステムを用いることができ、英語圏の国々ではファンコイルとして知られ、安価で種類も豊富である。
【００２６】
本書に記載のように、空気調和システムは特に、熱容量を増加させるために、伝熱流体のための貯留槽を更に備える。
【００２７】
貯留槽は特に、関連付けられた第２の熱交換器の近傍に配置されるタンクによって形成される。少ない量、例えば１０リットルで、貯留槽は伝熱流体回路の熱容量を際立って増加させることが可能である。コンプレッサーをクロック制御して動作させる場合、それによって個々の空間における冷却能力の変動は、知覚可能限度を下回って低減できる。
【００２８】
本書に記載のように、空気調和システムは特に、伝熱流体回路において温度センサーを更に備える。
【００２９】
温度センサーは特に、第２の熱交換器のフローラインにおいて伝熱流体の温度を検出するために配置され、かつ形成される。また、センサーは更に、第２の熱交換器のフローライン、あるいは伝熱流体回路の他のポイントにおいて、温度、あるいは圧力、あるいは流速、あるいは質量流量、あるいは他の測定数量を検出するために備えることができる。温度センサーおよび測定値を検出するための更なるセンサーは、空気調和システムの特に高感度の制御をサポートすることができる。
【００３０】
本書に記載のように、空気調和システムにおいては特に、伝熱流体以外の媒体に対して、冷媒の冷暖房能力を放散させるための熱交換器を備えていない。
【００３１】
このことは特に、余分な冷暖房能力が放散される日本国特開昭５５−１０２８４２Ａ公報に記載の上記の空気調和システムと区別される、当該空気調和システムの際立った特徴である。本書に記載の空気調和システムはよって、特に良好な効率、あるいは特に良好な性能評価を提供する。
【００３２】
本書に記載のように、空気調和システムにおいては特に、１つのスロットルが制御可能である。
【００３３】
１つの制御可能なスロットル、あるいは複数の制御可能なスロットルの各々は特に、電子膨張弁を備える。各スロットルの可制御性によって、関連付けられた第２の熱交換器における冷却能力を制御し、かつそれにより、関連付けられた第３の熱交換器において増加される冷却能力の異なる数値に対する適応を提供する。全体として空気調和システムの制御は、それによって改良され、かつそれによって効率、あるいは性能評価が向上しうる。
【００３４】
本書に記載のように、空気調和システムにおいては、室内機が、３本の流体ラインによって室外機と接続されており、かつ冷房モードにおいて伝熱流体から熱を回収し、かつ暖房モードにおいて伝熱流体に熱を供給するために形成されている。
【００３５】
空気調和システムのいくつかのあるいは全ての室内機の各々は、３本の流体ラインによって室外機と接続され、かつ冷房モードにおいて伝熱流体から熱を独立して回収し、かつ暖房モードにおいて伝熱流体に熱を供給するために形成されうる。冷房モードおよび暖房モード間の切替は特に、制御可能なスロットルを制御することによって、かつ１つ以上のバルブによって、２つのありうる戻りラインのうちの１つを選択することによって行われる。２つの戻りラインのうちの１つを選択するための１つのあるいは複数のバルブは、室内機内に、あるいは（特に短い）流体ラインを介して室内機と接続される、関連付けられたしかし別のユニット内に直接配置することができる。
【００３６】
この局面においても特に、本書に記載の特性および特徴を有する空気調和システムは、冷房モードおよび暖房モード間の切替が可能ではない上記の日本国特開昭５５−１０２８４２Ａ公報の教示するところと際立って異なる。
【００３７】
本書に記載のように、空気調和システムは特に、可変冷媒体積流量のために形成される。
【００３８】
可変あるいは制御可能な冷媒体積流量によって、空気調和システムによって提供される総冷暖房能力の調節が、広い範囲内で可能になる。
【００３９】
本書に記載のように、空気調和システムにおいては特に、コンプレッサーを駆動するために、可変速の３相交流モータを備える。
【００４０】
特に同期性あるいは非同期性３相交流モータのスピードを調節するために、インバーターが備えられ、これは電圧および／または電流の調節可能周波数および調節可能振幅の多相電流を提供するために形成される。これによって、空気調和システムによって提供される冷媒体積流量および冷房および／または暖房能力の変動を提供する。
【００４１】
本書に記載のように、空気調和システムは特に、冷暖房能力のための総需要量を検出し、かつ所定の最小能力および所定の最大能力の間で、コンプレッサーを制御するための制御手段を備え、制御手段は、冷暖房能力のための総需要量が所定の閾値を下回る時、コンプレッサーのスイッチを一時的に切るために形成されている。
【００４２】
室外機および／または１つ以上の室内機における別の制御ユニットにおいて、前記制御手段の各々は特に、データ処理のための１つ以上のマイクロコントローラあるいは他の電気あるいは電子アナログあるいはデジタル回路を含み、これらは、電気信号ライン、あるいは光信号ライン、あるいは他の信号ラインによって、互いにと、温度、および圧力、および体積流量、および他の測定値を検出するためのセンサーと、１つ以上のユーザ・インターフェイスとに連結されている。制御手段は特にまた、スロットルを制御するために提供され、形成される。
【発明の効果】
【００４３】
本書に記載の特性および特徴を有する空気調和システムにおいて、コンプレッサーのスイッチを一時的切り、かつそれによって冷媒回路において提供される冷房および／または暖房能力を切ることで、空調がなされた空間における冷暖房能力の変動をもたらし、この変動は、伝熱流体回路の熱容量あるいは熱慣性のために、従来の空気調和システムにおけるよりも際立って低くなりうる。
【図面の簡単な説明】
【００４４】
【図１】空気調和システムを有する建物を模式的に示す図である。
【図２】空気調和システムを模式的に示す図である。
【図３】別の空気調和システムを模式的に示す図である。
【発明を実施するための形態】
【００４５】
以下、様々な実施の形態を図面に基づいて詳細に説明する。
【００４６】
図１は、外壁１２および異なるサイズの空間１４、１５の数室を有する建物１０を模式的に示す図である。図１では特に、建物１０の１つの階あるいはフロアの平面図を示している。
【００４７】
建物１０は、大きな空間１４、特により小さな別々の空間の間の廊下あるいは通路へと入っていくエントランス・エリアを備える。空間１５は、異なるサイズを有し、特に異なる床面積および／あるいは天井高を有する。空間１５は更に、それらの機能と、隣接する正面エリアのサイズと、外部に対する断熱特性と、太陽放射への暴露と、その他の特性と、において異なりうる。
【００４８】
建物１０は、後述の図２および図３において別途示され、かつ参照符号２０を付した空気調和システムを含む。空気調和システムは、建物１０の外壁１２に取り付けられた、あるいは建物１０の近くで、かつ建物１０から離間して配置されうる室外機３０を備える。また、空気調和システムは、管路システムによって室外機３０と接続された複数の室内機４０を備える。換言すれば、室外機３０および室内機４０は、室外機３０および室内機４０を接続する管路と共に、分岐した冷媒回路７０を形成している。
【００４９】
その各々が空間１５に配置された複数の関連付けられたルームユニットを有する室内機４０は、伝熱流体回路９０を形成している。換言すれば、１つの各室内機４０および数ユニットある関連付けされたルームユニット５０は、室内機４０およびルームユニット５０を接続する管路と共に、伝熱流体回路９０を形成している。
【００５０】
図示した例において、室内機４０は、その各々が図１の左下において配置された２つのより大きな部屋１５のうちの１つにある２つの関連付けられたルームユニット５０と共に、伝熱流体回路９０を形成している。更なる室内機４０は、その各々が図１の右側に配置された４つのより小さな部屋のうちの１つにある４つのルームユニットと共に、更なる伝熱流体回路９０を形成している。図１に示す例において、第３の室内機が更に、大きな空間１４に配置され、かつ関連付けられた伝熱流体回路を用いることなく、その直接的空気調和のために備えられている。
【００５１】
空気調和システムは、空間あるいは部屋１４、１５の空気調和のために、特に部屋１４、１５における室内空気を冷房および／または暖房するために備えられている。室外機３０は、冷房モードにおいて、冷媒回路７０における冷却能力を提供するため、あるいは冷媒回路７０における冷媒から熱を回収するために、かつ熱交換器によって、建物１０の周囲にこの熱を供給するために（特に、より高い温度レベルにおいて）備えられかつ形成されている。または、あるいは加えて、室外機３０は、暖房モードにおいて、建物１０の周囲から熱を回収し、かつ冷媒回路７０における、あるいは室内機４０における冷媒回路７０を介して、この熱を提供する（特に、より高い温度レベルにおいて）ために形成されている。室外機３０および冷媒回路７０は、冷房能力および暖房能力を同時に提供するために形成されうる。特に、室内機４０の一部分は、冷房モードで、かつ室内機４０の別の一部分は暖房モードである。
【００５２】
各室内機４０は、冷房モードにおいて、関連付けられた伝熱流体回路９０あるいは大きな空間１４から熱を回収し、かつ冷媒回路７０へその熱を供給するため、あるいは暖房モードにおいて、冷媒回路７０から熱を回収し、かつ関連付けられた伝熱流体回路９０へその熱を供給するために形成されている。この目的のため、各室内機は特に、一方の冷媒回路７０、および他方の関連付けられた伝熱流体回路９０あるいは大きな空間１４の室内空気の間で、熱を伝達するための熱交換器を備える。
【００５３】
各ルームユニット５０は、冷房モードにおいて、関連付けられた空間１５の室内空気から熱を回収し、かつ関連付けられた伝熱流体回路９０へその熱を供給するため、あるいは暖房モードにおいて、関連付けられた伝熱流体回路９０から熱を回収し、かつ関連付けられた空間１５の室内空気へその熱を供給するために備えられ、かつ形成されている。この目的のため、各ルームユニット５０は特に、伝熱流体回路９０および関連付けられた空間１５の室内空気の間で熱を交換するための熱交換器を備える。
【００５４】
空気調和システムは、固定あるいは移動できる建物１０におけるよりもむしろ、船舶あるいは他の車両において配置されうる。室外機３０は、冷媒回路７０および周囲空気の間で熱を交換するよりもむしろ、冷媒回路７０および水、あるいは地下水、あるいは建物の地下の間で熱を交換するために形成されうる。空気調和システムの構成のための例を、図２および図３を参照して説明する。
【００５５】
図２は、図１を参照して上述したものと同様であり、固定あるいは移動できる建物、あるいは船舶、あるいは他の車両において使用可能な空気調和システム２０を模式的に示す図である。一例として、空気調和システム２０は、室外機３０と、３つのルームユニット５０が関連付けられている第１の室内機４０と（図２の上部に示される）と、２つのルームユニット５０が関連付けられている第２の室内機４０（図２の下部に示される）と、を有して示されている。室内機４０の数および各室内機４０に関連付けられたルームユニットの数は、図２に示されている数と異なりうる。
【００５６】
図２においてより明白に示すために、１つの室内機４０および１つのルームユニット５０だけに、いくつかの参照符号を付されている。
【００５７】
室外機３０は、調整可能な冷媒フローを生成するために、特に図２に図示しない可変速の３相交流モータによって駆動されるコンプレッサー３２を備える。また、室外機３０は、冷媒および、周囲空気、あるいは水、あるいは別の媒体の間で熱を伝達するための第１の熱交換器３４を備える。第１の熱交換器３４には特に、周囲空気を循環させるための軸流送風機が備えられている。また、室外機３０は、コンプレッサー３２を制御するためのコントローラ３８を備える。コントローラ３８はまた、図２に図示しない、温度、あるいは圧力、あるいは流量、あるいは他の測定値を検出するためのセンサーからの信号を受信するため、かつ第１の熱交換器３４の１つ以上の送風機、あるいはバルブ、あるいはアクチュエータを制御するために形成されうる。
【００５８】
各室内機４０は、制御可能なスロットルバルブ４２、特に電子膨張弁と、第２の熱交換器４４と、循環ポンプ４５と、貯留槽４６と、コントローラ４８と、温度センサー４９と、を備える。流体ライン７１、７２によって、スロットル４２および室内機４０の第２の熱交換器は、コンプレッサー３２および室外機３０の第１の熱交換器３４と接続されており、かつコンプレッサー３２および室外機３０の第１の熱交換器３４と共に、冷媒回路７０を形成している。
【００５９】
各室内機４０のコントローラ４８は、電気信号、光信号、および／または他の信号を送信するための１本以上の信号ライン７８によって、室外機３０のコントローラ３８と接続されている。信号ライン７８は特に、２地点間接続として、あるいはいくつかのあるいは全ての室内機４０のコントローラ４８を、室外機３０のコントローラ３８と同時連結するバスとして形成されている。
【００６０】
ルームユニット５０の各々は、コントロールバルブ５２と、第３の熱交換器５４と、コントローラ５８と、温度センサー５９と、を備える。コントロールバルブ５２および、各ルームユニット５０の第３の熱交換器５４は、伝熱流体ライン９１、９２によって、関連付けられた室内機４０の第２の熱交換器４４と、循環ポンプ４５と、関連付けられた室内機４０の貯留槽４６とに接続されており、かつ第２の熱交換器４４と、循環ポンプ４５と、貯留槽４６とともに、伝熱流体回路９０を形成している。
【００６１】
各ルームユニット５０のコントローラ５８は、ルームユニット５０のコントロールバルブ５２および温度センサー５９と連結されており、かつ電気信号、光信号、および／または他の信号を送信するための１本以上の信号ライン９８によって、関連付けられた室内機４０のコントローラ４８と連結されている。信号ライン９８は特に、２地点間接続として、あるいは室内機４０のコントローラ４８を、いくつかのあるいは全ての関連付けられたルームユニット５０のコントローラ５８と連結するためのバスとして形成されている。
【００６２】
図２に示した以外では、信号ライン７８、９８は、図２に平行して示された冷媒ライン７１、７２あるいは伝熱流体ライン９１、９２と異なって伸長することができ、かつ／あるいは別の接続形態を有することができる。特に、室外機３０の全てのコントローラ３８、４８、５８は、単一の非分岐あるいは分岐したバスによって、あるいは図２の図示とは対照的に、分配したいくつかのバスによって連結することができる。
【００６３】
コントローラ３８、４８、５８は共に、空気調和システム２０を、特にコンプレッサー３２と、スロットル４２と、循環ポンプ４５と、コントロールバルブ５２と、を制御するための制御手段を形成している。コントローラ３８、４８、５８は特に、その各々の第３の熱交換器５４との熱交換の前および／または後に、室内空気温度に応じて、かつ冷媒回路７０におけるおよび伝熱流体回路９０における温度に応じて、かつ外気温度あるいは第１の熱交換器３４が熱交換する別の蓄熱体の温度に応じて、かつユーザ・インターフェイスにおいて検出される室内空気温度のセットポイントに応じて、かつ他のパラメータに応じて、空気調和システム２０を制御するために形成されている。
【００６４】
全てのルームユニット５０において提供される冷却能力の合計が、室外機３０の特性によって指定される、室外機３０によって提供されることになる能力の最小値を下回る時、コンプレッサー３２は、クロック制御して操作することができる。コンプレッサー３２は、定期的にあるいは不定期に、スイッチ・オンオフされる。第２の熱交換器４４において提供される冷却能力は、時間と共に対応して変動する。伝熱流体回路９０の慣性あるいは熱容量のために、第２の熱交換器４４において提供される冷却能力のこの変動は、ルームユニットによって提供される冷却能力に、影響がない、あるいはわずかに知覚できる影響があるだけである。伝熱流体回路９０の各々の熱慣性あるいは熱容量は、貯留槽４６によって増加される。
【００６５】
図２における模式図において、全ての室内機４０は同一であり、かつ全てのルームユニット５０は同一である。図２に示した以外では、室内機４０は、例えば、異なる寸法のコンポーネントによって、互いに異なることが可能である。また、ルームユニット５０は、例えば、異なる寸法のコンポーネントによって、互いに異なることが可能である。
【００６６】
図３は、いくつかの特徴および特性において、図２を参照して上記に示した空気調和システムに類似する他の空気調和システム２０を模式的に示す図である。図２とは対照的に、空気調和システム２０全体の一部分だけが示されている。図示されている領域を越えた冷媒ライン７１、７２、７３、および伝熱流体ライン９１、９２、および信号ライン７８、９８のありうる延長は、破線によって示されている。以下に、図３の空気調和システムの、図２を参照して上記に示した空気調和システムと異なる特徴および特性を示す。
【００６７】
図３に示す空気調和システムにおいて、室外機３０は、３本の冷媒ライン７１、７２、７３によって、各室内機４０と接続されている。特に、各室内機４０のスロットル４２のフローラインは、第１の冷媒ライン７１によって、室外機３０と接続されている。各室内機４０の熱交換器４４の戻りラインは、第２の冷媒ライン７２、７３によって、室外機３０と接続されている。
【００６８】
一方の第２の熱交換器４４の戻りラインおよび他方の第２および第３の冷媒ライン７２、７３の間には、各モード切替手段７６が配置されている。モード切替手段７６は、室内機４０に一体化する、あるいは流体ラインによって関連付けられた室内機４０と接続された、別の離間したユニットとして形成することができる。モード切替手段７６の各々は特に、１つ以上のバルブを備え、これによって、第２の熱交換器４４の戻りラインが、別法として、第２の冷媒ライン７２を介して、あるいは第３の冷媒ライン７３を介して、室外機３０のコンプレッサー３２の入り口と接続され（図２参照）、かつ室外機３０における第１の熱交換器が、第１の冷媒ライン７１と接続される。
【００６９】
信号ライン７８を介して、あるいは他の方法で、モード切替手段７６は、関連付けられた室内機４０のコントローラ４８と、および／あるいは他のコンポーネント３８、４８、５８（図２、制御手段参照）と接続されている。モード切替手段７６は、冷房モードおよび暖房モード間の切替を可能にする。室内機４０が冷房モードで動作する時、熱は関連付けられた伝熱流体回路９０から冷媒回路７０へ伝達される。室内機４０が暖房モードで動作する時、熱は冷媒回路７０から関連付けられた伝熱流体回路９０へ伝達される。空気調和システム２０内では、同時に、１つ以上の室内機４０が冷房モードで動作でき、かつ１つ以上の他の室内機４０が暖房モードで動作できる。
【符号の説明】
【００７０】
１０・・・建物
１２・・・建物１０の外壁
１４・・・建物１０の空間
１５・・・建物１０の空間
２０・・・空気調和システム
３０・・・空気調和システム２０の室外機
３２・・・室外機３０のコンプレッサー
３４・・・室外機３０の熱交換器
３８・・・室外機３０のコントローラ
４０・・・空気調和システム２０の室内機
４２・・・室内機４０のスロットル
４４・・・室内機４０の熱交換器
４５・・・循環ポンプ
４６・・・室内機４０の貯留槽
４８・・・室内機４０のコントローラ
４９・・・室内機４０の温度センサー
５０・・・空気調和システム２０のルームユニット
５２・・・ルームユニット５０のコントロールバルブ
５４・・・ルームユニット５０の熱交換器
５８・・・ルームユニット５０のコントローラ
５９・・・ルームユニット５０の温度センサー
７０・・・冷媒回路
７１・・・冷媒回路７０における冷媒ライン（高圧力）
７２・・・冷媒回路７０における冷媒ライン（低圧力）
７３・・・冷媒回路７０における冷媒ライン（低圧力）
７６・・・モード切替手段
７８・・・室外機３０および室内機４０間の信号ライン
９０・・・伝熱流体回路
９１・・・伝熱流体回路９０における伝熱ライン
９２・・・伝熱流体回路９０における伝熱ライン
９８・・・室内機４０およびルームユニット５０間の信号ライン
【図１】
2015518954.tif 000003
【図２】
2015518954.tif 000004
【図３】
2015518954.tif 000005
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
空間（１４、１５）の空気調和のための空気調和システム（２０）であって、
冷媒回路（７０、７１、７２、７３）における冷媒を圧縮するためのコンプレッサー（３２）と、前記空気調和システム（２０）は、可変冷媒体積流量のために形成され、
前記冷媒および蓄熱体間の熱を交換するための第１の熱交換器（３４）と、
前記冷媒を膨張させるための複数のスロットル（４２）と、
各１つの関連付けられた伝熱流体回路（９０、９１，９２）において、前記冷媒および伝熱流体間で熱を交換するための複数の第２の熱交換器（４４）と、
各伝熱流体回路（９０、９１，９２）における前記熱容量を増加させるための、前記伝熱流体のための貯留槽（４６）と、
その各々が関連付けられた１つの空間（１５）に配置された、前記伝熱流体および前記関連付けられた空間（１５）の室内空気間で熱を交換するための複数の第３の熱交換器（５４）と、
スロットル（４２）および複数の第３の熱交換器（５４）を有する伝熱流体回路（９０，９１，９２）は、第２の熱交換器（４４）と関連付けられており、
冷暖房能力のための総需要量を検出し、かつ所定の最小能力および所定の最大能力の間で、前記コンプレッサー（３２）を制御するための制御手段（３８、４８、５８、７８、９８）と、を有し、
前記制御手段（３８、４８、５８、７８、９８）は、冷暖房能力のための前記総需要量が所定の閾値を下回る時、前記コンプレッサー（３２）のスイッチを一時的に切るために形成されている、空気調和システム（２０）。
【請求項２】
前記コンプレッサー（３２）および前記第１の熱交換器（３４）は、建物（１０）あるいは車両の外部の、あるいは建物（１０）あるいは車両の外側縁（１２）における室外機（３０）に配置され、かつ各１つのスロットル（４２）および関連付けられた第２の熱交換器（４４）は室内機（４０）に配置される、請求項１に記載の空気調和システム（２０）。
【請求項３】
前記伝熱流体回路（９１、９２）において温度センサー（４９）を更に備える、請求項１または２に記載の空気調和システム（２０）。
【請求項４】
前記伝熱流体以外の媒体に対して、前記冷媒の冷暖房能力を放散させるための熱交換器を備えていない、請求項１ないし３のいずれかに記載の空気調和システム（２０）。
【請求項５】
１つのスロットル（４２）は制御可能である、請求項１ないし４のいずれかに記載の空気調和システム（２０）。
【請求項６】
室内機（４０）が、３本の流体ライン（７１、７２、７３）によって前記室外機（３０）と接続されており、かつ冷房モードにおいて前記伝熱流体から熱を回収し、かつ暖房モードにおいて前記伝熱流体に熱を供給するために形成されている、請求項５に記載の空気調和システム（２０）。
【請求項７】
前記コンプレッサー（３２）を駆動するために、可変速の３相交流モータを備える、請求項１ないし６のいずれかに記載の空気調和システム（２０）。
【国際調査報告】
2015518954.tif 000006
2015518954.tif 000007
2015518954.tif 000008
2015518954.tif 000009
2015518954.tif 000010
2015518954.tif 000011